(57)【要約】結合擁壁マットを形成するのに使用するための擁壁ブロックである。擁壁ブロックは、第一および第二の端部ならびに第一および第二の側壁を有している。側壁は、第一の下側の垂直面、第一および第二の上側の垂直面、ならびに上側の垂直面と下側の垂直面の間の遷移面を有している。側壁は、側壁から外方へ延びるインターロックを定義し且つ上側垂直面に対して垂直かまたは角度付けされている。側壁は、また、インターロックと作用可能に連絡するために遷移面および少なくとも一つの垂直面を備えるコーナー空間を設計している。当該擁壁ブロックは、それを通って延びる複数のダクトおよび擁壁ブロックの頂面から延びるドームを備えていても良い。擁壁ブロックは、ブロックを垂直に貫通して延びる少なくとも一つの開口部を備えていても良い。開口部は、先細の壁面を有していても良い。
2005519207.tif 000002
【特許請求の範囲】
【請求項１】
頂面および底面と、
前記頂面と前記底面の間に延びる第一の端部壁および第二の端部壁と、
各々少なくとも一つの実質的に垂直面を有する第一の側壁および第二の側壁と、
を含み、
前記第一の側壁および第二の側壁は、各々、前記頂面と前記底面の間に内方におよび外方に延びる遷移面をも含み、
前記第一の側壁および第二の側壁は、各々、そこから外方に延びる少なくとも一つのインターロックを有する
前もって成型されたブロック
を具備する擁壁ブロック。
【請求項２】
前記第一の側壁および第二の側壁は、各々、前記少なくとも一つのインターロックを定義する第一および第二のコーナー空間を有する請求項１に記載の擁壁ブロック。
【請求項３】
第二の隣接擁壁ブロックと組み合わせて、前記第一および第二のコーナー空間は、前記第二の隣接ブロックのインターロックの二分の一を受け入れるようにサイズ設定された請求項２に記載の擁壁ブロック。
【請求項４】
前記少なくとも一つのインターロックは、前記第二の隣接ブロックの上方への押し上げを阻止する請求項３に記載の擁壁ブロック。
【請求項５】
前記頂面から前記ブロックを通って前記底面へ延びる第一の開口部および第二の開口部をさらに備える請求項１に記載の擁壁ブロック。
【請求項６】
前記頂面における前記第一および第二の開口部は、前記底面における前記第一および第二の開口部よりも大きい請求項５に記載の擁壁ブロック。
【請求項７】
前記擁壁ブロック頂面から延びるドームをさらに備える請求項１に記載の擁壁ブロック。
【請求項８】
前記ドームは、前記頂面からドーム頂面へ延びる湾曲壁を有する請求項６に記載の擁壁ブロック。
【請求項９】
前記擁壁ブロックの前記第一の端部壁から前記第二の端部壁へ横向きに延びる複数のダクトを有する請求項１に記載の擁壁ブロック。
【請求項１０】
複数の前記擁壁ブロックは、擁壁マットレスを定義する複数の列をなして長手積み構造にて配置される請求項１に記載の擁壁マット。
【発明の詳細な説明】
【技術分野】
【０００１】
本発明は、概して擁壁ブロックに関する。より詳細には、本発明は、縦方向および横方向についての移動を阻止するばかりでなく、垂直の水力学的揚力を阻止するインターロック特性を有する擁壁マットを形成するために使用される擁壁ブロックに関する。加えて、そのようにマット上の上方押圧力を阻止する上述された擁壁ブロックから形成される擁壁マットが、開示されている。
【背景技術】
【０００２】
擁壁マットは、水がそこに沿って流れる地域、例えば、海岸線、余水路、溢水路、集水路、ボート・ランプなど、からの土地の浸食を阻止するために使用される。現用の擁壁マットは、一緒にインターロックし且つ特定の水力学的能力特性に適合させるコンクリート・ブロックから形成される。
【０００３】
スケールス（Ｓｃａｌｅｓ）に対して発行された米国特許第４，３７０，０７５号において、図１および図６は、擁壁マットの一般的な特徴を示している。図６は、隣接するブロックの同様に形成された溝内にスライド可能に配置されるであろう複数の突出部を有する擁壁ブロックの透視図を示している。図１について見ると、ブロックは単独では上方への動きを阻止するいかなる特徴をも持っていないので、ブロックが、ケーブルを使用しなければ水力学的揚力に影響され易いであろうことが明らかである。
【０００４】
この問題は、ナイト（Ｋｎｉｇｈｔ）に対して発行された米国特許第５，７７９，３９１号においても存在している。図１および図１６Ａを組み合わせて見れば、ブロックの側面から延び、隣接するブロックに形成された溝にスライド可能に係合する突出部を有するブロックが示されている。擁壁マットを通って延びるケーブルなしには、該ブロックも、垂直揚力に影響を受け易いであろう。
【０００５】
ケーブルまたはロープは、例えば上述された引用文献に示されたように、上方への上昇を防止するために擁壁マットのブロックを通して配置されるであろう。しかしながら、しばしば、該ケーブルは、腐食、腐敗、海洋生物体などによって摩耗し且つ損壊するかもしれない。一旦、擁壁マットが水路に配置されると、ケーブルまたはロープを交換することは非常に難しい。さらにまた、該ケーブルは一般に上昇の間マットレスを維持するから、擁壁マットを水路から除去することは困難である。
【０００６】
既知の擁壁ブロックにおいて不足しているものを見ると、擁壁ブロックが、擁壁マットを形成するために、擁壁ブロックの上昇を阻止し且つ擁壁ブロックそして必然的に擁壁マットの水力学的上昇の阻止をケーブルに頼らない設計を有することが必要とされていることは明らかである。
【特許文献１】米国特許第４，３７０，０７５号
【特許文献２】米国特許第５，７７９，３９１号
【発明の開示】
【発明が解決しようとする課題】
【０００７】
本発明の目的は、擁壁マットレスを形成するのに使用するための、インターロックを有する擁壁ブロックを提供することにある。
【０００８】
本発明のさらなる目的は、擁壁マットレスの隣接する擁壁ブロックの上方への水力学的揚力を阻止する、インターロックを有する擁壁ブロックを提供することにある。
【０００９】
本発明の一層さらなる目的は、上方への水力学的揚力を阻止するためにロープまたはケーブルによって擁壁マットレスの隣接するブロックに結合し得る擁壁ブロックを提供することにある。
【００１０】
本発明のなお一層さらなる目的は、擁壁マットの上を通る水の速度を遅くする少なくとも一つのドームを有する擁壁ブロックを提供することにある。
【００１１】
本発明のまだそのうえ一層さらなる目的は、茎葉の生育のためにそれを通って延びる複数の開口部または孔を有する擁壁ブロックを提供することにある。
【００１２】
本発明の目的は、また、垂直に延びる面、内方に延びる面および外方に延びる面を含む側壁を有する擁壁ブロックを提供することにもある。
【課題を解決するための手段】
【００１３】
擁壁ブロックは、各々第一の下側の垂直面、ならびに第一および第二の上側の垂直面を有する第一の側壁および第二の側壁を含む実質的に長方形のブロックから構成する。前記第一の上側の垂直面からオフセットされた第一の下側の垂直面は、それらの間に先細にされた遷移面を有する。第一の側壁および第二の側壁は、また、外方に延びるインターロックをも有し、該インターロックは、第一の下側の垂直面から第二の上側の垂直面にかけて上方に且つ外側に延びる。インターロックの外側への拡張および第一の上側の垂直面の内方へのオフセットは、擁壁ブロックのコーナー空間を定義している。擁壁ブロックは、また、頂面と、底面と、そして当該擁壁ブロックを通って垂直に延びる少なくとも一つの開口部をも有している。前記頂面は、また、前記底面よりも小さな面を有している。
【００１４】
前記擁壁ブロックは、当該擁壁ブロックを通って、望ましくは第一の端部から第二の端部へと、延びる少なくとも一つのダクトをさらに備えている。
【００１５】
前記擁壁ブロックは、頂面に沿って配置されるドームをさらに備えていても良い。マットを固定するため海床からの成長物を許容する少なくとも一つの長方形に形成された開口部が、該擁壁ブロックを通って延びていても良い。前記少なくとも一つの開口部は、より広いかまたは大きい上側部分からより狭いかまたは小さい下側部部へ先細に形成した側壁を有していても良い。
【００１６】
概略を上述した全ての目的は、例示のみとして理解され、そして本発明の多くのさらなる目的が、本明細書における開示から見出されるであろう。それゆえ、記載された目的の限定するいかなる解釈も、明細書、特許請求の範囲およびここに含まれる図面の全体のさらに読み取ることなしに理解されるべきではない。
【発明の効果】
【００１７】
本発明の局面および利点は、添付図面と共に望ましい実施の形態の詳細な説明が解釈されたときによりよく理解されるであろう。
【発明を実施するための最良の形態】
【００１８】
〔擁壁ブロック〕
本発明は、まず、擁壁ブロック１０が示されている図１を参照し、図面に関連して説明されるであろう。擁壁ブロック１０は、形状において実質的に長方形をなすが、いかなる他の所望の形状であっても良い。擁壁ブロック１０は、本発明の第一の実施の形態によれば、あらかじめ成型されたコンクリートから形成され、そして望ましくは約１８インチ×１０インチの寸法を有する。加えて該ブロックの高さは、応用および所望の水力学的特性に応じて変動しても良いが、一般には約２．７５インチから９．５インチの間である。しかしながら、これらの寸法は、所望の応用および水力学的特性に応じて変動しても良い。例えば、より大きな水力学的力の影響が与えられるときは、ブロック１０の高さは増大されても良い。
【００１９】
さて、図１〜図４を参照すれば、擁壁ブロック１０は、実質的に平面の上側の面すなわち頂面１２および下側の面すなわち底面１４、第一の側壁１６、第二の側壁１８、ならびに第一および第二の端部２０、２２を有する。やはり、図１〜図４を参照すれば、第一の側壁１６は、第一の下側の垂直面３０、第一の上側の垂直面３２、および第二の上側の垂直面３４を有する。第一の下側の垂直面３０は、第一および第二の上側の垂直面３２、３４からオフセットされている。より詳細には、第一の上側の垂直面３２は、下側の垂直面３０から外方へオフセットされており、そして第二の上側の垂直面３４は、図４において最もよく見られるように、下側の垂直面３０から内方へオフセットされている。このオフセットはインターロック１７を定義する。第一の上側の垂直面３２は、側壁１６の末端に位置されている第二の上側の垂直面３４の間のインターロック１７上に配置されている。第一の下側の垂直面３０と第一の上側の垂直面３２の間には、面３０、３２を結合して外側に且つ上方に延びる第一の遷移部３６がある。これは、ブロック１０群が協働して上方への水力学的圧力に抵抗するように図６において見られる、擁壁マット１００の隣接するブロックに部分的にオーバーラップするであろう側壁１６から延びるインターロック１７を形成する。側壁１６の第一の下側の垂直面３０と第二の上側の垂直面３４の間に配置されるのは、上方に且つ内方に延びる第二の遷移面３８である。第二の上側の垂直面３４、遷移面３８およびインターロック１７は、隣接するブロックからのインターロックが位置し且つブロック１０の上方への移動を阻止し得るインターロック１７のいずれかにコーナー空間を定義する。
【００２０】
図４において最もよく見られるように、第一の側壁１６の反対側には、擁壁ブロック１０を対称的に形成する第二の側壁１８がある。第二の側壁１８も、また、第一の下側の垂直面４０、第一の上側の垂直面４２および第二の上側の垂直面４４を有する。第一の下側の垂直面４０は、第一および第二の上側の垂直面４２、４４からオフセットされている。側壁１６と同様に、第一の上側の垂直面４２は、下側の垂直面４０から外側にオフセットされており、そして第一の遷移部４６は、面４０、４２を結合して外側に且つ上方に延びる。これは、インターロック１９を定義する。第二の上側の垂直面４４は、下側の垂直面４０から内方へオフセットされており、且つ第二の遷移面３８によってそこに結合されている。インターロック１９、第二の上側の垂直面４４、および第二の遷移部３８は、隣接するインターロックが配置されるであろうコーナー空間を定義する。第一の上側の垂直面４２は、側壁１８の末端に位置されている第二の上側の垂直面４４の間に配置される。インターロック１９は、側壁１８から延び且つ擁壁ブロック１０群が協働して上方への水力学的圧力に抵抗するように、図６に示されている、擁壁マット１００の隣接する擁壁ブロックのコーナー空間に部分的にオーバーラップするであろう。図２に示されるように、インターロック１７、１９は、側壁１６、１８から垂直に延びる。加えて、ブロック１０側壁１６、１８は、内方および外方の両方へ延び、それによってコーナー空間およびインターロック１７、１９を定義している。
【００２１】
図４において最もよく見られるように、側壁１６、１８は、実質的に平行な面を有している。例えば、遷移面３６は、遷移面４８と平行であり、そして遷移面３８は、遷移面４６と平行である。この設計によれば、インターロック１７は、実質的に、マットレス１００のような擁壁マットレスにおける二つの隣接するブロックのコーナー空間内に配置されるであろう。インターロック１９も、また、擁壁マットレス、例えば１００、の二つの隣接するブロックのコーナー空間内に適合し得る。
【００２２】
図３において示されるように、擁壁ブロック１０の下側面すなわち底面１４は、望ましくは図６に示される基礎土壌９２と擁壁マット１００の間に位置されるであろう基礎土壌９２あるいはフィルター構造またはフィルター物質９０のいずれとも実質的に連続的に接触させるように実質的に平坦すなわち平面であっても良い。加えて、ブロック１０は、ブロック１０とフィルター物質９０または基礎土壌９２との間における咬み合い効率を向上させるべく下側面１４内に組み込む何らかの咬み合いコンポーネントを有していても良い。
【００２３】
擁壁ブロック１０の上側面すなわち頂面１２は、下側面１５とは平行であることが望ましいが、応用に応じて異なって設計されても良い。図１、図２、および図４に示されるように、上側面１２は、ブロック１０を通して下側面１４へ延びる第一および第二の開口部５０を有していても良い。第一および第二の開口部すなわち開口５０は、図６の擁壁マット１００の下方に基礎土壌９２からブロック１０を通して茎葉が成長するのを許容する。茎葉は、マット１００のためのアンカーを提供して良く、水路に、審美的に満足な外観を付加するという第二の利点を有する。開口５０の他の利点は、開口５０が、擁壁マット１００の下方に作り上げらるかもしれない水力学的圧力を軽減することである。開口５０は、水がブロック１０を通って流れ、それによって擁壁マット１００への上方への揚力を減弱することを可能とする。開口部または開口５０の一つの最終的な利点は、それらが、擁壁マット１００を揉むであろう波からのような運動エネルギーを浪費することである。少なくとも一つの開口部５０は、擁壁マットが形成されるときに、審美的に好ましい外観を提供するように、望ましくは、他の擁壁ブロック１０の開口部５０と等しい広さを有することである。
【００２４】
開口５０は、また、下側部分よりも大きい上側部分を有する実質的に反転された四角錐台（ｆｒｕｓｔｏ−ｐｙｒａｍｉｄａｌ）形状を有する開口５０を提供する先細にされた壁部５３および５４をも有している。しかしながら、種々の他の幾何学的形状が、開口部５０を形成するために置換され得る。図２に見られるように、開口５０は、望ましくは、擁壁ブロック１０の縦軸および横軸について対称的に配置される。
【００２５】
擁壁ブロック１０は、また、第一および第二の端部２０、２２をも有する。第一および第二の端部２０、２２は、互いに平行で且つ望ましくは実質的に側壁１６、１８に対して垂直であり、したがって実質的に長方形のブロック１０を形成している。
【００２６】
側面２０、２２の間には、ダクト６０が延びる。ダクト６０は、形が円形であり且つケーブルまたはロープがそこを通過するのを可能としてブロック１０を通して延びる。複数のブロック１０が、擁壁マットレス１００を形成すべく配列されるとき、ダクト６０は、ケーブルまたはロープがそこを通過するのを可能として整列されるであろう。ケーブルまたはロープの使用は、例えば、特定の位置にマットレス１００を押し上げ且つ配置するのに望ましいかもしれない。ダクト６０は、開口部５０が通過しそして茎葉がその中に成長することがないようにして配置される。ダクト６０は、また、水がブロック１０を流通し、そしてそれによって水力学的圧力を軽減する。
【００２７】
ブロック１０の側壁１６、１８から延びるインターロック１７、１９は、擁壁マット１００が、図６に示される、連続的な結合を用いて形成されるようにさせる。連続的な結合は、第一行のブロックがオフセットされ且つ整列された列を形成させずに、直接に隣接する行のブロックと縦方向に整列されないときに形成される。連続的な結合は、結果として、擁壁ブロック１０が、少なくとも四つのそして六つまでの隣接するブロックと接触し、そしてそれによってより安定なインターロックとより強固なマット１００を有することとなる。
【００２８】
図２に示されるように、インターロック１７、１９は、上方から見たときに長方形状を有している。インターロック１７、１９は、代わりに曲面状に、Ｕ字形状に、角度付けされて、または、ブロック１０の、空間が空けられたコーナーがインターロックの半分をそこに操作可能に受け入れる限り、他の形態に構成されてもよい。図６に見られる通り、二つの隣接するブロック１０の空間が空けられたコーナーは、インターロック１７、１９のそれと実質的に等しいサイズを有しており、そこにインターロック１７、１９が配置されても良い。ブロック１０は、望ましくは、サイズ決定され且つ製造され、そこでは擁壁マット１００が、種々の製造バッチのブロックから形成されても良い。
【００２９】
さて、図５および図７を参照すると、代わりの実施の形態の擁壁ブロック２１０が示されている。構造的には、擁壁ブロック２１０は、擁壁ブロック１０と実質的に等価である。しかしながら、ブロック２１０は、頂面２１２から延びるドーム２１３をさらに備えている。ドーム２１３は、あらかじめ成型されたコンクリートでブロック２１０と一体に形成され、上側の面２１２からドーム頂点または上側の平坦部２１６へ延びる湾曲壁または先細壁２１４を有していても良い。ドーム頂点２１６は、概して平面であり、そしてブロック２１０の下側面すなわち底面と平行である。ドーム頂点２１６からブロック２１０を通って延びるのは、少なくとも一つの、望ましくは二つの、実質的に長方形状を有する開口部２５０である。開口部２５０は、それを通る茎葉の成長を許容し且つ下方の擁壁マット２００からの水力学的圧力を軽減するいかなる所望の形状からなっていても良い。開口部２５０は、また、波に起因するエネルギーの消散のような開口部５０の先行する議論において説明された利点をも提供するであろう。擁壁ブロック２１０は、また、図５に示されるように第一の端部から第二の端部へ延びる複数のダクト２６０を有していても良く、そこではケーブルまたはロープ６２が擁壁ブロックを相互連結するために配置されても良い。
【００３０】
ドーム２１３は、ブロック２１０および擁壁マット２００に複数の利点を提供する。第一に、ドーム２１３は、擁壁マット２００上における水流の速度を減弱する。次には、水流の運動エネルギーは、消散され、そして浸食が阻止される。付加的に、マットレス２００を横切るより遅い水流は、いくつかの粒子物質をマットレス上で且つ開口部２５０内に落ち着かせることを促進するであろう。最後にドーム２１３は、また、擁壁マット２００上を移動する水により生ずるせん断力をも低減する。
【００３１】
図６および図７において見られるように、ブロック１０、２１０からそれぞれ形成される擁壁マット１００、２００が示されている。当該技術における熟達者は、理解するであろうように、上述された連続的な結合は、結果として交互のマット行の不均一な整列を生ずる。それゆえ、ハーフブロック１１、２１１が、マット１００、２００における均一に整列された行端を形成すべく交互の行端に配置されても良い。ハーフブロック１１、２１１は、ブロック１０、２１０を半分に切断することによって、またはモールド成型によって、半分のサイズのブロックを形成しても良い。ハーフブロック１１、２１１は、望ましくは、水路において、またはどこか他の場所で擁壁マットを押し上げ且つ配置するのを助けるべく、ループを形成してケーブルまたはロープ６２が配置されるであろうダクトを有している。
【００３２】
さて、図８〜図１１を参照すると、インターロック３１７、３１９を有する擁壁ブロック３１０が示されている。インターロック３１７、３１９は、垂直面ならびに内方へそして外方へ延びる遷移面を有する側壁３１６、３１８によって定義されている。より詳細には、側壁３１６、３１８は、第一の下側の垂直面３３０と、第一の上側の垂直面３３２と、第二の上側の垂直面３３４とから形成されている。上述されたように、第一の下側の垂直面３３０および第一、第二の上側の垂直面は、面３３４が面３３０から内方に向けられるようにしてオフセットされている。加えて、面３３２は、面３３０から外方に向けられている。下側の垂直面３３０は、上側の垂直面３３４に遷移面３３８によって結合されている。第一の下側垂直面３３０は、また、インターロック３１７を形成して第一の遷移面３３６によって第一の上側の垂直面３３２にも結合されている。インターロック３１７、遷移面３３８、および垂直面３３４は、ブロック３１０の典型的なコーナー空間を定義している。
【００３３】
擁壁ブロック１０、２１０とは対照的に、擁壁ブロック３１０は、ブロック１０、２１０におけるような垂直の代わりにある角度を持って外方に延びる先細のインターロック３１７、３１９を有する。インターロック３１７、３１９は、ブロック３１０のコーナー空間によって定義され、そこではインターロック３１７、３１９の二分の一が配置されるであろう。これは、図１３に示されるように、擁壁マット３００が形成されるときに、連続的な結合配列を与える。
【００３４】
図１１において最もよく見られるように、側壁３１６、３１８は、実質的に平行である面を有している。例えば、遷移面３３６は、遷移面３４８と平行であり、そして遷移面３３８は、遷移面３４６と平行である。この設計によれば、インターロック３１７は、マットレス１００のような擁壁マットレスにおける二つの隣接するブロックのコーナー空間内に適合し得る。インターロック３１９も、また、擁壁マットレス、例えば１００、の隣接する二つのブロックのコーナー空間内に適合し得る。ケーブルまたはロープ６２が複数のブロックをインターロックすべく配置され得る複数のダクト３６０が、擁壁ブロック３１０を通って延びていてもよい。
【００３５】
ブロック３１０も、また、側壁３１６、３１８に加えて、実質的に長方形形状のブロック３１０を形成する頂面３１２および底面３１４を有している。
【００３６】
開口部３５０は、頂面３１２から底面３１４へブロック３１０を通って延びる。上述されているように、開口部３５０は、粒子の沈殿、水力学的圧力の軽減を許容するようにしても良い。先に論じたように、開口部３５０は、より大きな上側部分とより小さな下側部分を有して、先細に形成されてもよい。加えて、茎葉は、擁壁マット３００の下からそして開口３５０を通って成長し、それによってマット３００を基礎地盤９２につなぎ止めるようにしても良い。
【００３７】
図１２および１４に示される通り、擁壁ブロック４１０は、頂面４１２からドーム４１３が延びていることを除いて擁壁ブロック３１０と構造的に等価である。ドーム４１３は、湾曲したまたは先細の壁部４１４および上側平坦部またはドーム頂点４１６を有していても良い。少なくとも一つの開口部４５０が、ドーム頂点４１６からブロック４１０の底部へ延びている。開口部４５０は、マット４００の下方からの水力学的圧力を軽減するだけでなく、茎葉が擁壁マット４００をつなぎ止めることを可能としている。擁壁ブロック４１０は、その中を通過して延びる複数のダクト４６０を有していても良く、そこではケーブルまたはロープが擁壁ブロック４１０をインターロックすべく配置されても良い。
【００３８】
〔擁壁マット〕
上述されたように、擁壁マット１００、２００、３００、４００は、それぞれ複数の擁壁ブロック１０、２１０、３１０、４１０から形成される。ブロック１０、２１０、３１０、４１０は、先に説明され且つ図６、図７、図１３、図１４に示されたように、連続的な結合パターンに配列される。ブロック１０、２１０、３１０、４１０は、インターロックされ且つ少なくとも四つの隣接するブロックに接している。しかしながら、連続的な結合は、等しい数のブロックが、各行について使用されるとき、結果として不均一な配列の行を結果として生ずる。より詳細には、交互の行が各端部において半ブロック短すぎ、そしてそこにハーフブロック１１、２１１、３１１、４１１が加えられる必要がある。
【００３９】
擁壁マットレス１００、２００、３００、４００は、所望のサイズのマトリクスが得られるまで、行毎に組み立てられても良い。望ましくは、マットレス１００、２００、３００、４００の構築は製造施設において行われるが、その代わりに、マットレス設置の現場において行っても良い。隣接する行が完成したときは、ケーブルまたはロープ６２がダクト、例えばダクト６０を通して配置される。ブロック１０の端から端までの配置は、整列されるべき複数のブロック１０のダクト、例えばダクト６０、の整列をもたらす。先に論じられたように、１０のような、フルサイズのブロックに加えてハーフサイズのブロック、例えば１１、を使用することは、均一に整列された縁部を有するマットレスを実現可能とする。
【００４０】
一旦、あらかじめ成型されたブロックが、マットレス１００に組み立てられると、ケーブル４２がマット１００の行をインターロックするために使用される。望ましくは、各ケーブル６２は、第一のマットレス行を通って延び、そして輪を描いて回って隣接する第二の行をとおるが、しかし、マットレスをインターロックする種々の他の方法が使用されて良い。行あたり二つのダクトを有するようにすれば、各行は、両側で隣接する行に相互連結され得る。ケーブルは、ステンレス鋼であることが望ましいが、代わりになるべきものとして亜鉛メッキされたステンレス鋼、または高強度ポリエステルロープから作られていても良い。加えて、ケーブルまたはロープ６２は、大部分の酸、アルカリ性物質、および、溶媒に対して優秀な抵抗特性を示すべきであり、そして、また、腐敗、カビ、および海洋環境に関連する微生物に対して不浸透性でもあるべきである。各ダクト、例えば６０、において、ワッシャー６４およびスリーブ６６が、図６、図７、図１３、図１４に示されるように、ケーブル６２上で擁壁マット１００、２００、３００、４００に入り且つそこから出る場所に配置されても良い。スリーブ４４は、マットレス１００、２００、３００、４００を通るケーブル６２の自由な動きが阻止されるように、ダクト６０に隣接するケーブル６２上でかしめられることが望ましい。この処理は、マットレス１００が完全に構築されるまで続けられる。
【００４１】
一旦これが完了すると、フィルター物質またはフィルター構造９０が、マットレス１００がそこに配置されるであろう基礎地盤９２上に配置される。フィルター構造は、基礎地盤９２の浸食を阻止し、そしてプロピレン、エチレン、エステル、またはアミドのような合成ポリマーおよび紫外線および熱による劣化に耐えるための抑制剤からなるジオテキスタイルから作られることが望ましい。一旦、フィルター構造９０が、配置されると、フィルター構造９０の上方の位置へマットレス１００、２００、３００、４００は、望ましくはスプレッダーバーの助けを借りて、クレーンまたは他のリフト装置によって移動される。最後に、マットレス１００、２００、３００、４００は、水路、ランプ、または河床内に降下され、フィルター構造９０の上に配置される。代替案においては、マット１００、２００、３００、４００、が製造施設における代わりに構築現場において組み立てられても良い。早い段階で論じられたように、マットレスを備えるブロックは、移動する水に対するせん断力抵抗を増大させて、下側面１５における突出物を有していても良い。
【００４２】
上述の詳細な説明は、主として理解の明確さのために与えられ、そこから不要な限定は解釈されるべきでなく、変形についてはこの開示を読めば当該技術における熟達者には明確になり、そして本発明の思想および添付された特許請求の範囲の視野から逸脱することなくなされても良い。
【図面の簡単な説明】
【００４３】
【図１】図１は、本発明の擁壁ブロックの透視図を示している。
【図２】図２は、図１の擁壁ブロックの上面図を示している。
【図３】図３は、図１の擁壁ブロックの前面図を示している。
【図４】図４は、図１の擁壁ブロックの端面図を示している。
【図５】図５は、頂面にドームを有する図１の擁壁ブロックの透視図を示している。
【図６】図６は、図１の擁壁ブロックによって形成される擁壁マットの上面図を示している。
【図７】図７は、図５の擁壁ブロックによって形成される擁壁マットの上面図を示している。
【図８】図８は、本発明の擁壁ブロックの第二の実施の形態を示している。
【図９】図９は、図８の擁壁ブロックの上面図を示している。
【図１０】図１０は、図８に示された擁壁ブロックの前面図を示している。
【図１１】図１１は、図８に示された擁壁ブロックの端面図を示している。
【図１２】図１２は、頂面にドームを有する図８の擁壁ブロックの透視図を示している。
【図１３】図１３は、図８の擁壁ブロックによって形成される擁壁マットの上面図を示している。
【図１４】図１４は、図１２の擁壁ブロックによって形成される擁壁マットの上面図を示している。
【図１】
2005519207.tif 000003
【図２】
2005519207.tif 000004
【図３】
2005519207.tif 000005
【図４】
2005519207.tif 000006
【図５】
2005519207.tif 000007
【図６】
2005519207.tif 000008
【図７】
2005519207.tif 000009
【図８】
2005519207.tif 000010
【図９】
2005519207.tif 000011
【図１０】
2005519207.tif 000012
【図１１】
2005519207.tif 000013
【図１２】
2005519207.tif 000014
【図１３】
2005519207.tif 000015
【図１４】
2005519207.tif 000016
【国際調査報告】
2005519207.tif 000017